(57)【要約】【課題】  印刷する画像に応じてインキローラの軸方向で発生する濃度むらを再現することが可能な色調整方法を提供することにある。【解決手段】  画像データに基づいて、校正用カラープリンタで画像データを画像として出力するときの縦または横のいずれか一方向についての各基本色のパラメータ値の分布量を解析する解析段階と、各基本色について、解析の方向における位置に応じて、各基本色のパラメータ値の分布量に基づいて各基本色のパラメータ値を補正する補正段階と、補正がなされたパラメータ値からなる複数の基本色のパラメータ値の組み合わせを、該複数の基本色のパラメータ値の組み合わせより印刷機が出力する色を校正用カラープリンタで出力するための複数の基本色のパラメータ値の組み合わせに変換する変換段階とを含む。【選択図】      図２
2005064920.tif 000002
【特許請求の範囲】
【請求項１】
画像データに基づいて第１のカラー画像出力装置で複数の基本色のパラメータ値の組み合わせにより出力される画像の色を色合わせの目標とし、前記画像データに基づいて第２のカラー画像出力装置で出力される画像の色を前記目標とする色となるように色の調整を行う色調整方法であって、
前記画像データに基づいて、前記第２のカラー画像出力装置で前記画像データを画像として出力するときの縦または横のいずれか一方向についての各基本色のパラメータ値の分布量を解析する解析段階と、
各基本色について、前記解析の方向における位置に応じて、前記各基本色のパラメータ値の分布量に基づいて各基本色のパラメータ値を補正する補正段階と、
前記補正がなされたパラメータ値からなる複数の基本色のパラメータ値の組み合わせを、該複数の基本色のパラメータ値の組み合わせより前記第１のカラー画像出力装置が出力する色を前記第２のカラー画像出力装置で出力するための複数の基本色のパラメータ値の組み合わせに変換する変換段階と、を含むことを特徴とする色調整方法。
【請求項２】
前記補正段階は、
前記解析の方向における位置に応じて、前記各基本色のパラメータ値の分布量に基づいて、各基本色のパラメータ値の補正量を求める段階を含み、
前記補正量でもって各基本色のパラメータ値を補正する請求項１に記載の色調整方法。
【請求項３】
前記補正量は、前記解析の方向における位置に応じて、前記各基本色のパラメータ値の分布量と各基本色の前記分布量の平均値との差に基づいて求められる請求項２に記載の色調整方法。
【請求項４】
前記補正段階は、
前記解析の方向における位置に応じて、前記各基本色のパラメータ値の分布量に基づいて、各基本色のパラメータ値をそのパラメータ値の大きさに応じて補正をするための補正特性を求める段階を含み、
前記補正特性を用いて各基本色のパラメータ値を補正する請求項１に記載の色調整方法。
【請求項５】
前記補正特性は、前記解析の方向における位置に応じて、前記各基本色のパラメータ値の分布量に基づいて、各基本色のパラメータ値の補正量を求め、前記補正量に基づいて求められる請求項４に記載の色調整方法。
【請求項６】
前記補正特性は、前記解析の方向における位置に応じて、前記各基本色のパラメータ値の分布量と各基本色の前記分布量の平均値との差に基づいて求められる請求項４に記載の色調整方法。
【請求項７】
前記補正特性は、前記解析の方向における位置に応じて、前記各基本色のパラメータ値の分布量と各基本色の前記分布量の平均値との差に基づいて、各基本色のパラメータ値の補正量を求め、前記補正量に基づいて求められる請求項４に記載の色調整方法。
【請求項８】
前記第１のカラー画像出力装置は、複数の基本色のインクをそれぞれのインクローラに供給しつつ画像の出力を行うものであって、
前記それぞれのインクローラへの前記インクの供給は、その軸方向の位置で調節可能になされ、
前記第２のカラー画像出力装置で前記画像データを画像として出力するときの縦または横のいずれか一方向は、前記第１のカラー画像出力装置で該画像を出力するときの該画像に対する前記インクローラの軸方向である請求項１乃至請求項７のいずれかに記載の色調整方法。
【請求項９】
請求項１または請求項８のいずれか一項に記載の色調整方法をコンピュータに実行させるためのプログラム。
【請求項１０】
請求項９に記載のプログラムを前記コンピュータで読み出し可能に記録した記録媒体。
【請求項１１】
画像データに基づいて第１のカラー画像出力装置で複数の基本色のパラメータ値の組み合わせにより出力される画像の色を色合わせの目標とし、画像データに基づいて画像を出力する第２のカラー画像出力装置を備え、前記画像データに基づいて第２のカラー画像出力装置で出力される画像の色を前記目標とする色となるように色の調整を行う画像出力システムであって、
前記画像データに基づいて、前記第２のカラー画像出力装置で前記画像データを画像として出力するときの縦または横のいずれか一方向についての各基本色のパラメータ値の分布量を解析する解析手段と、
各基本色について、前記解析の方向における位置に応じて、前記各基本色のパラメータ値の分布量に基づいて各基本色のパラメータ値を補正する補正手段と、
前記補正がなされたパラメータ値からなる複数の基本色のパラメータ値の組み合わせを、該複数の基本色のパラメータ値の組み合わせより前記第１のカラー画像出力装置が出力する色を前記第２のカラー画像出力装置で出力するための複数の基本色のパラメータ値の組み合わせに変換する変換手段と、
前記変換された複数の基本色のパラメータ値の組み合わせに基づいて、前記第２のカラー画像出力装置で画像を出力するように制御する画像出力制御手段と、を備えることを特徴とする画像出力システム。
【発明の詳細な説明】
【技術分野】
【０００１】
本発明は、色調整方法、この色調整方法実行のためのプログラム、プログラムを格納した記録媒体及び画像出力システムに関し、特に、出力する画像の縦または横方向の位置に応じて色調整を行うものに関する。
【背景技術】
【０００２】
従来、網点タイプのカラープルーフを出力する校正用カラープリンタではＣＭＹＫの各色材の色が印刷インキ色に近いため、網点太りの違いの補正（ドットゲインカーブ補正）を、ＣＭＹＫの各色について網点面積率の測定結果に基づいて行うことで、ある程度まで印刷機に対して色を合わせることが可能であった。しかし、レッドＲ、グリーンＧ、ブルーＢの２次色、ＣＭＹ３色による黒、ＣＭＹＫ４色による黒やそれらの付近の色については、印刷機と色の出方が異なり、厳密な色合わせは困難であった。そこで、例えば、いわゆるカラーマネージメントシステムが提案され、校正用カラープリンタの色を印刷機の色に合わせ込む等の色調整が可能になった。
【０００３】
ここで、カラーマネージメントシステムには、一例として、校正用カラープリンタや印刷機における複数の基本色のパラメータ値の組み合わせに対するＬ＊ａ＊ｂ＊値等の色特性の値のルックアップテーブル（ＣＭＹＫ→Ｌ＊ａ＊ｂ＊  ＬＵＴ）や複数の色特性の値に対する複数の基本色のパラメータ値の組み合わせのルックアップテーブル（Ｌ＊ａ＊ｂ＊→ＣＭＹＫ  ＬＵＴ）を含む出力装置の出力色特性を表すデバイスカラープロファイルを用いて（Ｃはシアン（青緑色）、Ｍはマゼンタ（赤紫色）、Ｙはイエロー（黄色）、Ｋはブラック（黒色）であり、Ｌ＊ａ＊ｂ＊値は色を表す３次元座標空間で、ａ＊ｂ＊平面により色あい・彩度が表され、Ｌ＊はａ＊ｂ＊平面に直交し明度を表し、ＬＵＴはルックアップテーブルである。また、パラメータとは、いわゆる階調、網点面積率や濃度等である。）、入力側の４色の基本色のパラメータ値の組み合わせについて、入力側の４色の基本色のパラメータ値の組み合わせを印刷機で印刷したときの色を校正用カラープリンタで出力するための４色の基本色のパラメータ値の組み合わせが出力側に関連づけられたデバイスリンクカラープロファイルＣＭＹＫ→ＣＭＹＫ  ＬＵＴ作成し、ＣＭＹＫ→ＣＭＹＫ  ＬＵＴを用いて校正用カラープリンタの色を印刷機の色に合わせ込む色調整方法を用いたものがある（例えば、特許文献１参照。）。
【０００４】
一方、複数色のインキをそれぞれのインキローラに供給しつつ各色版に転移させて印刷を行うオフセット印刷機等では、画像を印刷する場合に、画像の量や濃度が位置により異なることから、インキローラへのインキの供給量を印刷する画像に応じてインキローラの軸方向で調節することが一般的に行われている。
【０００５】
【特許文献１】特開２０００−３３０３０２号公報（段落〔００１５〕−〔０１４０〕、図１乃至図２７）
【発明の開示】
【発明が解決しようとする課題】
【０００６】
しかしながら、印刷機でインキの供給量を多くすると網点が太り、少なくすると網点は細るので、例えばＣ５０％Ｍ４０％Ｙ４０％の網点をＭインキの供給量が多い部分で印刷する場合と少ない部分で印刷する場合とでは、供給量の多い部分ではＭの網点が太ることにより供給量の少ない部分に比べ赤みが強くなる。
【０００７】
したがって、上述のようにインキローラの軸方向でインキの供給量を調節することにより、印刷される画像のインキローラの軸方向に各色の網点の太り細りによる濃度むらを発生することになる。
【０００８】
つまり、特許文献１に記載の色調整方法によりＣＭＹＫ→ＣＭＹＫ  ＬＵＴを用いて色調整を行う校正用カラープリンタでカラープルーフを作成したとしても、インキ供給量の差による濃度むらは考慮されていないので、そのカラープルーフは印刷物と異なるものになってしまう。
【０００９】
本発明は、上記事情に鑑みてなされたものであり、その目的とするところは、画像データに基づいて校正用カラープリンタで出力する画像の色を目標とする色で出力するように、且つ、出力する画像の縦または横方向の位置に応じて色調整を行うことが可能な色調整方法、この色調整方法実行のためのプログラム、プログラムを格納した記録媒体及び画像出力システムを提供することにある。
【課題を解決するための手段】
【００１０】
上記目的を達成するために、請求項１記載の発明は、画像データに基づいて第１のカラー画像出力装置で複数の基本色のパラメータ値の組み合わせにより出力される画像の色を色合わせの目標とし、前記画像データに基づいて第２のカラー画像出力装置で出力される画像の色を前記目標とする色となるように色の調整を行う色調整方法であって、前記画像データに基づいて、前記第２のカラー画像出力装置で前記画像データを画像として出力するときの縦または横のいずれか一方向についての各基本色のパラメータ値の分布量を解析する解析段階と、各基本色について、前記解析の方向における位置に応じて、前記各基本色のパラメータ値の分布量に基づいて各基本色のパラメータ値を補正する補正段階と、前記補正がなされたパラメータ値からなる複数の基本色のパラメータ値の組み合わせを、該複数の基本色のパラメータ値の組み合わせより前記第１のカラー画像出力装置が出力する色を前記第２のカラー画像出力装置で出力するための複数の基本色のパラメータ値の組み合わせに変換する変換段階と、を含むことを特徴としている。
【００１１】
また、請求項２記載の発明は、前記補正段階は、前記解析の方向における位置に応じて、前記各基本色のパラメータ値の分布量に基づいて、各基本色のパラメータ値の補正量を求める段階を含み、前記補正量でもって各基本色のパラメータ値を補正することを特徴としている。
【００１２】
また、請求項３記載の発明は、前記補正量は、前記解析の方向における位置に応じて、前記各基本色のパラメータ値の分布量と各基本色の前記分布量の平均値との差に基づいて求められることを特徴としている。
【００１３】
また、請求項４記載の発明は、前記補正段階は、前記解析の方向における位置に応じて、前記各基本色のパラメータ値の分布量に基づいて、各基本色のパラメータ値をそのパラメータ値の大きさに応じて補正をするための補正特性を求める段階を含み、前記補正特性を用いて各基本色のパラメータ値を補正することを特徴としている。
【００１４】
また、請求項５記載の発明は、前記補正特性は、前記解析の方向における位置に応じて、前記各基本色のパラメータ値の分布量に基づいて、各基本色のパラメータ値の補正量を求め、前記補正量に基づいて求められることを特徴としている。
【００１５】
また、請求項６記載の発明は、前記補正特性は、前記解析の方向における位置に応じて、前記各基本色のパラメータ値の分布量と各基本色の前記分布量の平均値との差に基づいて求められることを特徴としている。
【００１６】
また、請求項７記載の発明は、前記補正特性は、前記解析の方向における位置に応じて、前記各基本色のパラメータ値の分布量と各基本色の前記分布量の平均値との差に基づいて、各基本色のパラメータ値の補正量を求め、前記補正量に基づいて求められることを特徴としている。
【００１７】
また、請求項８記載の発明は、前記第１のカラー画像出力装置は、Ｃ，Ｍ，Ｙ，Ｋのインクをそれぞれのインクローラに供給しつつ画像の出力を行うものであって、前記Ｃ，Ｍ，Ｙ，Ｋのインクローラへの前記インクの供給は、その軸方向の位置で調節可能になされ、前記第２のカラー画像出力装置で前記画像データを画像として出力するときの縦または横のいずれか一方向は、前記第１のカラー画像出力装置で該画像を出力するときの該画像に対する前記インクローラの軸方向であることを特徴としている。
【００１８】
また、請求項９記載の発明は、請求項１または請求項８のいずれか一項に記載の色調整方法をコンピュータに実行させるためのプログラムであることを特徴としている。
【００１９】
また、請求項１０記載の発明は、請求項９に記載のプログラムを前記コンピュータで読み取り可能に記録した記録媒体であることを特徴としている。
【００２０】
また、請求項１１記載の発明は、画像データに基づいて第１のカラー画像出力装置で複数の基本色のパラメータ値の組み合わせにより出力される画像の色を色合わせの目標とし、画像データに基づいて画像を出力する第２のカラー画像出力装置を備え、前記画像データに基づいて第２のカラー画像出力装置で出力される画像の色を前記目標とする色となるように色の調整を行う画像出力システムであって、前記画像データに基づいて、前記第２のカラー画像出力装置で前記画像データを画像として出力するときの縦または横のいずれか一方向についての各基本色のパラメータ値の分布量を解析する解析手段と、各基本色について、前記解析の方向における位置に応じて、前記各基本色のパラメータ値の分布量に基づいて各基本色のパラメータ値を補正する補正手段と、前記補正がなされたパラメータ値からなる複数の基本色のパラメータ値の組み合わせを、該複数の基本色のパラメータ値の組み合わせより前記第１のカラー画像出力装置が出力する色を前記第２のカラー画像出力装置で出力するための複数の基本色のパラメータ値の組み合わせに変換する変換手段と、前記変換された複数の基本色のパラメータ値の組み合わせに基づいて、前記第２のカラー画像出力装置で画像を出力するように制御する画像出力制御手段と、を備えることを特徴としている。
【発明の効果】
【００２１】
請求項１記載の色調整方法によれば、画像データに基づく画像の縦または横のいずれか一方向で出力する色の調整ができ、さらに、目標とする色で出力するように調整を行うので、精度の高いカラープルーフを作成することができる。
【００２２】
請求項２記載の色調整方法によれば、画像の縦または横のいずれか一方向の前記画像に応じて行う出力する色の調整を、補正量を用いて行うので容易に補正を行うことができる。
【００２３】
請求項４記載の色調整方法によれば、画像の縦または横のいずれか一方向で出力する色の調整を、濃度むら補正カーブ（補正特性）を用いて行うので、色の濃淡に応じた調整ができ、更に精度の高いカラープルーフを作成することができる。
【００２４】
請求項５記載の色調整方法によれば、補正量を用いて容易に濃度むら補正カーブ求めることができる。
【００２５】
請求項８記載の色調整方法によれば、印刷機のインキローラの軸方向で生じる濃度むらを再現したカラープルーフを作成することができる。
【発明を実施するための最良の形態】
【００２６】
［第１の実施の形態］
本発明は、例えば、印刷機（第１のカラー画像出力装置）の出力する画像データに基づく画像の色を目標とし、校正用カラープリンタ（第２のカラー画像出力装置）でその画像を出力するときに、その目標とする色で出力するように画像データの４色の基本色（Ｃ、Ｍ、Ｙ、Ｋ）のパラメータ値の組み合わせを、入力側の４色の基本色のパラメータ値の組み合わせについて、入力側の４色の基本色のパラメータの組み合わせを印刷機で印刷したときの色を校正用カラープリンタで出力するための４色の基本色のパラメータ値の組み合わせが出力側に関連づけられたデバイスリンクカラープロファイル（ＣＭＹＫ→ＣＭＹＫ  ＬＵＴ（色変換テーブル））を用いて変換し色調整を行うものであって、さらに、複数色のインキをそれぞれのインキローラに供給しつつ各色版に転移させて印刷を行う印刷機で画像に応じてそのインキローラの軸方向でインキの供給量が調整されることにより発生する濃度むらを再現するようにするためのものである。
【００２７】
ここで、４色の基本色（Ｃ、Ｍ、Ｙ、Ｋ）とは、Ｃはシアン（青緑色）、Ｍはマゼンタ（赤紫色）、Ｙはイエロー（黄色）、Ｋはブラック（黒色）である。また、パラメータとは、いわゆる階調、網点面積率等であり、以下の実施の形態では、最小値を０（％）、最大値を１００（％）とする網点面積率でパラメータ値を表す。０は白であり、１００はベタを表すものであり、また、例えば「ＣＭＹＫの組み合わせ」「Ｋ」等の表記で以下に示すものは、「ＣＭＹＫの網点面積率（パラメータ値）の組み合わせ」「Ｋの網点面積率（パラメータ値）」のことである。また、ＬＵＴはルックアップテーブルである。
【００２８】
以下、本発明に係る画像形成システムの一実施形態について、図面を参照しつつ具体的に説明する。
【００２９】
（制御構成）
まず、本発明に係る第１の実施の形態の制御構成を図１を用いて説明する。図１は、本発明の画像出力システムの機能ブロック図である。図１に示すように本画像出力システムは、画像データに基づきカラー画像を出力する校正用カラープリンタ２、及び、カラープリンタ２の画像形成制御に関する制御を行う制御装置１で構成される。
【００３０】
制御装置１は、いわゆるコンピュータであって、校正用カラープリンタ２の画像形成制御に関する制御を行うコントローラとして機能し、図１に示すように、プログラム、画像データ及びルックアップテーブル等を記憶するＨＤＤ（Ｈａｒｄ  Ｄｉｓｋ  Ｄｒｉｖｅ）からなる記憶部１０、目標とする印刷機（図示せず）の出力する色で校正用カラープリンタ２が画像を出力するように画像データのＣＭＹＫの網点面積率を補正及び変換して色調整を行うとともに、画像を形成するように校正用カラープリンタ２を制御する機能を有する制御部１１を備える。また、図示しないが、各種データ（画像データや測定結果のデータ）を入力するための入力手段を備えている。また、ＣＲＴ等のディスプレイ、マウス、キーボード等を備えていてもよい。
【００３１】
記憶部１０は、図示しない作業端末から送信され、図示しない入力手段を介して入力される画像データを記憶する画像データ記憶部１０１、デバイスリンクカラープロファイル（ＣＭＹＫ→ＣＭＹＫ  ＬＵＴ）を記憶するＬＵＴ記憶部１０２、制御装置１全体を制御するためのプログラム、及び、画像データに基づくＣＭＹＫの組み合わせの網点面積率を補正及び変換して色調整を行うためのプログラム、校正用カラープリンタ２での画像形成を制御するためのプログラム等を特定のディレクトリに記憶する。
【００３２】
また、上記画像データに基づくＣＭＹＫの組み合わせの網点面積率を補正及び変換して色調整を行うための色調整方法のプログラムを、例えばフロッピー（登録商標）ディスク、ＣＤ−ＲＯＭ、磁気記録テープ等の可搬性の記録媒体等に格納してもよい。また、かかるプログラムソフトウエアをコンピュータで実行する場合には、コンピュータに付属の読取装置で上述の記録媒体から読み取ることができる。
【００３３】
制御部１１は、ＣＰＵなどからなり記憶部１１に記憶されるプログラムに基づいて各種制御等を行うもので、制御装置１全体を制御する機能と校正用カラープリンタ２の画像形成制御に関する制御をする画像出力制御手段としての機能とを備える。また、画像データに基づいてＣ、Ｍ、Ｙ、Ｋ毎に、画像データを校正用カラープリンタ２で出力するときの画像の縦または横のいずれか一方向についての画像に関する分布量（詳細後述）を解析する解析手段１１１と、解析手段１１１による解析結果に基づいて、Ｃ、Ｍ、Ｙ、Ｋ毎に、解析を行った方向における位置に応じて各網点面積率の補正を行う補正手段１１２と、ＬＵＴ記憶部１０２に記憶されたデバイスリンクカラープロファイル（ＣＭＹＫ→ＣＭＹＫ  ＬＵＴ）に前記補正がなされたＣＭＹＫの組み合わせを入力し変換して色調整を行う色調整手段（変換手段）１１３を備えている。
【００３４】
また、校正用カラープリンタ２は、この制御装置１に接続され、前記制御部により補正及び変換がなされた画像データに基づくＣＭＹＫの組み合わせによりカラー画像を形成するものである。また、この校正用カラープリンタ２に、記憶部１０及び制御部１１の機能を備える構成としてもよい。
【００３５】
（色調整方法）
次に、本実施の形態の色調整方法について述べる。図２は本実施の形態に係る色調整方法の各ステップを示すフローチャートである。最初に、図２により色調整方法の各ステップを概略的に説明し、詳細は後述する。
【００３６】
まず、解析手段１１１は、画像データ記憶部１０１に記憶された画像データを校正用カラープリンタ２で画像として出力するときの縦方向または横方向のいずれかの方向に複数に分割し、分割された画像データを用いてＣ、Ｍ、Ｙ、Ｋそれぞれについて分割した方向における網点面積率についての分布量（パラメータ値についての分布量）を解析する（図２ステップＳ１０１、以下Ｓ１０１と省略し、他のステップも同様に省略する）。ここで解析する網点面積率についての分布量は、印刷機で行うインキローラへのインキの供給量の調節の目安である画像の量や濃度の位置による差に対応するものである。
【００３７】
次に、補正手段１１２は、解析手段１１１による解析結果に基づいて、網点面積率についての分布量の解析を行った方向における位置に応じて画像データの各ＣＭＹＫの組み合わせについてＣ、Ｍ、Ｙ、Ｋそれぞれを補正する（Ｓ１０２）。
【００３８】
さらに、色調整手段１１３は、前記補正手段１１２によりＣ、Ｍ、Ｙ、Ｋそれぞれが補正されたＣＭＹＫの組み合わせをデバイスリンクカラープロファイル（ＣＭＹＫ→ＣＭＹＫ  ＬＵＴ）により変換し色調整を行う（Ｓ１０３）。
【００３９】
そして、ＣＭＹＫが補正され変換された画像データを校正用カラープリンタ２に送信し、校正用カラープリンタ２は送信された画像データに基づいて画像を出力する。
【００４０】
（Ｓ１０１）
ここでは、画像データに基づいて網点面積率についての分布量の解析を行うのであるが、その説明のために図３に示す画像Ａを用いる。画像Ａは、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）、ＪＩＳ（Ｊａｐａｎｅｓｅ  Ｉｎｄｕｓｔｒｉａｌ  Ｓｔａｎｄａｒｄ）で規格化されている種々の標準画像をレイアウトしたもので、横方向８０ｃｍ縦方向５０ｃｍである。この画像Ａは、Ｃ、Ｍ、Ｙ、Ｋにより形成されており、分版して得られるＣ、Ｍ、Ｙ、Ｋ各色の画像をそれぞれ図４（ａ）から（ｄ）に示した。
【００４１】
次に、図５を用いて網点面積率についての分布量の解析を行う方向について説明する。図５に示す矢印Ｙは画像Ａの印刷機による印刷方向で、矢印Ｘはインキローラの軸方向であり、印刷方向とインキローラの軸方向とは互いに直交する方向になる。本実施の形態の色調整方法は、インキの供給量を印刷する画像に応じてインキローラの軸方向で調節することにより発生する濃度むらを再現することであり、ここで行う網点面積率についての分布量の解析は、インキローラの軸方向すなわち矢印Ｘの方向について行う。以下に、網点面積率についての分布量の解析について説明する。
【００４２】
まず、図５に示すように、矢印Ｘの方向に１０ｃｍ間隔に８つに分割する。図５には、その分割位置を示す分割線及び分割された各領域を１から８のナンバーを示した（以下「１」で示した領域を「領域１」とも言う。他の領域も同様。）。また、この分割の間隔や分割数は一例であり、図５の例とは異なる間隔や分割数でもよい。また、この分割の方向は、印刷機による印刷方向が矢印Ｘ方向でインキローラの軸方向が矢印Ｙ方向あれば、図５に示す分割線とは直交する分割線で分割することになり、つまり、印刷機で印刷するときの画像の方向に従って縦または横のいずれかの方向に分割することになる。
【００４３】
次に、そして網点面積率についての分布量としてＣ、Ｍ、Ｙ、Ｋそれぞれについて分割線で分割された各領域での網点面積率の平均値を画像データから求める。図６（ａ）から（ｄ）には図４（ａ）から（ｄ）で示した各色の画像に対応する各分割された領域における網点面積率の平均値と各色の画像全体における網点面積率の平均値（これは、各分割された領域における網点面積率の平均値の平均と等価である）を示した。
【００４４】
本例では、分布量を示すものとしてその分割された領域での網点面積率の平均値を用いるが、例えば、網点面積率の合計値であってもよい。網点面積率から０，１で画像を表すラスターデータを作成しその「１」のデータの総数、また、各色毎に出力した画像から測定される画像の面積等により網点面積率についての分布量を示すことが可能である。また、パラメータ値に階調値を用いるような場合には、本発明のパラメータ値についての分布量を示す量は、分割された領域での階調値の平均値、または、階調値の合計値となる。
【００４５】
（Ｓ１０２）
次に、補正手段１１２で行う補正について説明する。まず、解析手段１１１で解析された各色の網点面積率についての分布量から、各色毎の各分割された領域毎の補正量を例えば以下に示すように求める。
【００４６】
図６に示した各分割された領域１から８における網点面積率の平均値を、それぞれ、Ａ（１）、Ａ（２）、Ａ（３）、Ａ（４）、Ａ（５）、Ａ（６）、Ａ（７）、Ａ（８）とし、画像全体における平均を、ＡＡとする。そして、各領域における補正量Ｒ（１）、Ｒ（２）、Ｒ（３）、Ｒ（４）、Ｒ（５）、Ｒ（６）、Ｒ（７）、Ｒ（８）を、
領域１及び領域８：
Ｒ（ｉ）＝（Ａ（ｉ）−ＡＡ）×０．１
領域２から領域７：
Ｒ（ｉ）＝（（Ａ（ｉ−１）＋Ａ（ｉ）＋Ａ（ｉ＋１））／３−ＡＡ）×０．１
として求める。
【００４７】
その結果を図７（ａ）から（ｄ）にＣ、Ｍ、Ｙ、Ｋ毎に各領域での補正量Ｒとして示した。そして、画像データの各ＣＭＹＫの組み合わせについてＣ、Ｍ、Ｙ、Ｋそれぞれをその領域での補正量Ｒでもって補正を行う。ただし、補正を行った結果、網点面積率がマイナスの値を示す場合には０とし、１００を越える場合には１００とする。また、白地部分ではプラスの補正を同様に行うと網点が入るため白地の補正量は０として白地に近い網点面積率においては補正量を０に近くしてもよい。１００％ベタではマイナスの補正を同様に行うと網点が入るためベタの補正量は０としてベタに近い網点面積率においては補正量を０に近くしてもよい。この補正によれば、分割方向つまりインキローラの軸方向に沿って領域の網点面積率の平均値が、画像全体における平均より大きい場合には網点面積率を大きくするように補正され、画像全体における平均より小さい場合には網点面積率を小さくするように補正されるので、印刷機のインキローラの軸方向で行う画像や濃度の位置による差に応じたインキローラへのインキの供給量の調節による濃度むらを再現することができる。
【００４８】
また、領域２から領域７では、隣り合う領域の網点面積率の平均値を平均した値を用いているので、隣り合う領域で網点面積率の平均値に大きな差がある場合でも補正による分割位置での画像の色の変化を目立たなくしている。
【００４９】
また、分割位置での画像の色の変化を目立たなくするために、例えば、図８に示した各領域の中心線の位置、領域１の中心線の左側及び領域８の中心線の右側では上述の補正値Ｒを用い、例えば、領域１の中心線と領域２の中心線に挟まれた範囲では、例えば領域１の中心線までの距離と領域２の中心線までの距離の比率が０．７：０．３の位置では、その補正量Ｒを
Ｒ＝Ｒ（１）×０．３＋Ｒ（２）×０．７
と補間により求めてもよい。
【００５０】
また、上述の補正量Ｒの算出に用いた係数「０．１」は、予め画像の各所にグレーを配置した様々な画像データを印刷機により印刷して例えばＣＭＹＫそれぞれの濃度等を測定し、その測定結果を用いて予め求めておく。
【００５１】
（Ｓ１０３）
まず、デバイスリンクカラープロファイル（ＣＭＹＫ→ＣＭＹＫ  ＬＵＴ）の作成方法について説明する。例えば、本出願人による特開２００２−３３０３０２記載のようにして作成することができる。つまり、印刷機と校正用カラープリンタ２のそれぞれを用いて４の基本色の網点面積率を最小値０から最大値１００までの間で等分割するとともに、Ｃ、Ｍ、Ｙ、Ｋそれぞれの階調値を組み合わせたときのカラー画像が複数配置された色票を出力する。そして、その複数のカラー画像のＬ＊ａ＊ｂ＊表色系の値を図示しない測色計で測定する。ここで、Ｌ＊ａ＊ｂ＊表色系の値とは、色を表す表色系の値の１つであり、Ｌ＊軸、ａ＊軸、ｂ＊軸の３次元空間で色を表すもので、ａ＊ｂ＊平面により色あい及び彩度が表され、Ｌ＊はａ＊ｂ＊平面に直交し明度を表す色特性の値である。以下、Ｌ＊ａ＊ｂ＊表色系の値をＬ＊ａ＊ｂ＊値と表す。
【００５２】
更に、上記Ｃ、Ｍ、Ｙ、Ｋの組み合わせと、測定されたＬ＊ａ＊ｂ＊値とを基に、印刷機と校正用カラープリンタ２のそれぞれについてデバイスカラープロファイル（ＣＭＹＫ→Ｌ＊ａ＊ｂ＊  ＬＵＴ）を作成する。
【００５３】
そして、２つのデバイスカラープロファイルを用いて、入力側の４色の基本色の組み合わせについて、入力側の４色の基本色の組み合わせを印刷機で印刷したときの色を校正用カラープリンタ２で出力するための４色の基本色の組み合わせが出力側に関連づけられたデバイスリンクカラープロファイル（ＣＭＹＫ→ＣＭＹＫ  ＬＵＴ）を作成することができる。そして、本実施の形態では、デバイスリンクカラープロファイル（ＣＭＹＫ→ＣＭＹＫ  ＬＵＴ）を予めＬＵＴ記憶部１０２に記憶しておく。
【００５４】
また、印刷機で出力する上述の色票は、インキローラの軸方向で濃度むらの影響がないようにカラー画像をインキローラ軸方向の各位置でＣ、Ｍ、Ｙ、Ｋの各網点面積率についての分布が均等になるように配置することが好ましい。
【００５５】
色調整手段１１３は、前記補正手段１１２によりＣ、Ｍ、Ｙ、Ｋそれぞれが補正されたＣＭＹＫの組み合わせをＬＵＴ記憶部１０２に予め記憶されたデバイスリンクカラープロファイル（ＣＭＹＫ→ＣＭＹＫ  ＬＵＴ）により変換し色調整を行う。
【００５６】
そして、ＣＭＹＫが補正され変換された画像データを校正用カラープリンタ２に送信し、校正用カラープリンタ２は送信された画像データに基づいて画像を出力することにより、校正用カラープリンタ２で目標とする印刷機で出力する色でかつ印刷機のインキローラの軸方向で発生する濃度むらを再現した画像を得ることが可能となる。
【００５７】
また、上記色調整方法の説明のようにＣ、Ｍ、Ｙ、Ｋの分布量に基づく補正を行った後、デバイスリンクカラープロファイル（ＣＭＹＫ→ＣＭＹＫ  ＬＵＴ）を用いて変換することが好ましいが、デバイスリンクカラープロファイル（ＣＭＹＫ→ＣＭＹＫ  ＬＵＴ）を用いた変換を行った後、網点面積率についての分布に基づく補正を行うようにしてもよい。
【００５８】
［第２の実施の形態］
次に、本発明に係る第２の実施の形態について説明する。なお、以下には第１の実施の形態と実質的に同様の構成については、詳細な説明を省略し、主に異なる点について述べる。
【００５９】
本実施の形態は、補正手段１１２は、濃度むら補正カーブ（補正特性）を用いてＣＭＹＫの組み合わせのＣ、Ｍ、Ｙ、Ｋそれぞれを網点面積率に応じて補正する点にある。
【００６０】
以下に、本第２の実施の形態における色調整方法について図９に示すフローチャートを用いて説明する。
【００６１】
（色調整方法）
（Ｓ２０１）
まず、第１の実施の形態の図２のＳ１０１の説明と同様に、解析手段１１１は、画像データ記憶部１０１に記憶された画像データを校正用カラープリンタ２で画像として出力するときの縦方向または横方向のいずれかの方向に複数に分割し、分割された画像データを用いてＣ、Ｍ、Ｙ、Ｋそれぞれについて分割した方向における網点面積率についての分布量を解析する
（Ｓ２０２）
次に、濃度むら補正カーブを求めるが、まず、第１の実施の形態と同様に各色及び各分割方向の位置についての補正量Ｒを求める。そして、濃度むら補正カーブＦ（ｊ）を、
Ｆ（ｊ）＝ｊ＋Ｒ×Ｄ（ｊ）、
ｊは、網点面積率で、０，５，１０，・・・・９０，９５，１００
Ｄ（ｊ）は、それぞれの網点面積率ｊについて予め定めた数値で、
Ｄ（０）  ＝  ０．０
Ｄ（５）  ＝  ０．１４５
Ｄ（１０）  ＝  ０．３
Ｄ（１５）  ＝  ０．４３
Ｄ（２０）  ＝  ０．５５
Ｄ（２５）  ＝  ０．６８
Ｄ（３０）  ＝  ０．８
Ｄ（３５）  ＝  ０．８８５
Ｄ（４０）  ＝  ０．９５
Ｄ（４５）  ＝  ０．９９
Ｄ（５０）  ＝  １．０
Ｄ（５５）  ＝  ０．９９
Ｄ（６０）  ＝  ０．９５
Ｄ（６５）  ＝  ０．８８５
Ｄ（７０）  ＝  ０．８
Ｄ（７５）  ＝  ０．６８
Ｄ（８０）  ＝  ０．５５
Ｄ（８５）  ＝  ０．４３
Ｄ（９０）  ＝  ０．３
Ｄ（９５）  ＝  ０．１４５
Ｄ（１００）  ＝  ０．０
として求める。
【００６２】
また、このＤ（ｊ）は、第１の実施の形態の補正量Ｒの算出に用いた係数「０．１」と同様に、予め画像の各所にグレーを配置した様々な画像データを印刷機により印刷して例えばＣＭＹＫそれぞれの濃度等を測定し、その測定結果を用いて予め求めておく。
【００６３】
このようにして求めた濃度むら補正カーブの一例を図１０に示す。図１０は、補正量Ｒが、Ｒ＝−２．２の場合を例に示したものである。そして、画像データの各ＣＭＹＫの組み合わせについてＣ、Ｍ、Ｙ、Ｋそれぞれをこの各色及び各分割方向の位置について求めた濃度むら補正カーブでもって補正を行う。このとき、入力側の網点面積率が、例えば各点（０，５，・・・９５，１００）の間にある場合には、前後の点から補間により求める。
【００６４】
ここで、補正量Ｒは、各領域について求めても、図８を用いて説明したようにその位置に応じて補間して求めても良い。
【００６５】
（Ｓ２０３）
第１の実施の形態の図２のＳ１０３の説明と同様に、色調整手段１１３は、前記補正手段１１２によりＣ、Ｍ、Ｙ、Ｋそれぞれが補正されたＣＭＹＫの組み合わせをデバイスリンクカラープロファイル（ＣＭＹＫ→ＣＭＹＫ  ＬＵＴ）により変換し色調整を行う。
【図面の簡単な説明】
【００６６】
【図１】本発明に係る画像出力システムの一実施の形態を示す機能ブロック図である。
【図２】第１の実施の形態における印刷機で発生する濃度むらを再現する補正を含むデバイスリンクカラープロファイルを用いた色調整方法の手順を示すフローチャートである。
【図３】色調整方法の説明に用いる画像の一例を示す図である。
【図４（ａ）】図３に示した画像のＣについての画像を示す図である。
【図４（ｂ）】図３に示した画像のＭについての画像を示す図である。
【図４（ｃ）】図３に示した画像のＹについての画像を示す図である。
【図４（ｄ）】図３に示した画像のＫについての画像を示す図である。
【図５】画像の分割について説明するための図である。
【図６（ａ）】Ｃについての分割された領域と網点面積率の平均値を示す図である。
【図６（ｂ）】Ｍについての分割された領域と網点面積率の平均値を示す図である。
【図６（ｃ）】Ｙについての分割された領域と網点面積率の平均値を示す図である。
【図６（ｄ）】Ｋについての分割された領域と網点面積率の平均値を示す図である。
【図７（ａ）】Ｃについての分割された領域と補正量を示す図である。
【図７（ｂ）】Ｍについての分割された領域と補正量を示す図である。
【図７（ｃ）】Ｙについての分割された領域と補正量を示す図である。
【図７（ｄ）】Ｋについての分割された領域と補正量を示す図である。
【図８】補間により求める補正量と分割方向における位置と関係を説明するための図である。
【図９】第２の実施の形態における印刷機で発生する濃度むらを再現する補正を含むデバイスリンクカラープロファイルを用いた色調整方法の手順を示すフローチャートである。
【図１０】濃度むら補正カーブの一例を示す図である。
【符号の説明】
【００６７】
１  制御装置
１０  記憶部
１０１  画像データ記憶部
１０２  ＬＵＴ記憶部
１１  制御部
１１１  解析手段
１１２  補正手段
１１３  色調整手段
２  校正用カラープリンタ
【図１】
2005064920.tif 000003
【図２】
2005064920.tif 000004
【図３】
2005064920.tif 000005
【図４（ａ）】
2005064920.tif 000006
【図４（ｂ）】
2005064920.tif 000007
【図４（ｃ）】
2005064920.tif 000008
【図４（ｄ）】
2005064920.tif 000009
【図５】
2005064920.tif 000010
【図６（ａ）】
2005064920.tif 000011
【図６（ｂ）】
2005064920.tif 000012
【図６（ｃ）】
2005064920.tif 000013
【図６（ｄ）】
2005064920.tif 000014
【図７（ａ）】
2005064920.tif 000015
【図７（ｂ）】
2005064920.tif 000016
【図７（ｃ）】
2005064920.tif 000017
【図７（ｄ）】
2005064920.tif 000018
【図８】
2005064920.tif 000019
【図９】
2005064920.tif 000020
【図１０】
2005064920.tif 000021